(57)【特許請求の範囲】
【請求項１】
監視対象を撮影して映像信号を出力するカメラユニットと、前記カメラユニットを支持する支持部材と、前記支持部材を支持するブラケットと、前記支持部材を前記ブラケットとは反対の方向に押圧付勢する押圧部材と、前記ブラケットを支持する本体部と、前記本体部に取り付けられたカバーとを備えた監視カメラ装置。
【請求項２】
前記ブラケットが前記支持部材を支持する支柱を有し、前記支柱に垂直方向に設けられた長穴を通して軸ねじにより前記支持部材を固定することにより、前記支持部材を垂直方向に回転可能かつ垂直方向に直動可能に支持することを特徴とする請求項１記載の監視カメラ装置。
【請求項３】
前記押圧部材が前記軸ねじと前記支柱との間に設けられたコイルばねであることを特徴とする請求項２記載の監視カメラ装置。
【請求項４】
前記支持部材と前記ブラケットの支柱との間に前記支持部材の前記ブラケットに対する回転角度を規制するチルトプレートを備えたことを特徴とする請求項１ないし請求項３のいずれかに記載の監視カメラ装置。
【請求項５】
前記ブラケットがドーナツ円板状に形成されていることを特徴とする請求項１ないし請求項４のいずれかに記載の監視カメラ装置。
【請求項６】
前記ブラケットの周囲が、少なくとも１個がテンションローラである３個のガイドローラにより支持されていることを特徴とする請求項１ないし請求項５のいずれかに記載の監視カメラ装置。
【発明の詳細な説明】
【０００１】
【発明の属する技術分野】
本発明は、店舗、ホテル、銀行、美術館、博物館等の建物に設置されて、不審者等を監視するための監視カメラ装置に関する。
【０００２】
【従来の技術】
従来、この種の監視カメラ装置は、監視カメラであることが明瞭な形状を備えており、不審者等に監視されているという威圧感を与えることにより、犯罪等を未然に予防する効果を狙っていた。しかし、このような監視カメラは、一般の善良な人々に対しても威圧感を与えることになり、不評を託っていた。そこで、最近では、人々に心理的圧力を与えないように、一見して監視カメラとは分からないようなスモーク調のドーム形状のものが主流になっている。また、監視カメラ装置には、監視方向を監視室から自在に調整できる角度自動調整型と、取付工事の際に監視方向を決定して固定する角度固定型がある。
【０００３】
図５および図６は従来のドーム形状の角度固定型の監視カメラ装置の内部構造を示している。カメラユニットは１００、筐体１０１の内部に撮影レンズ１０２とＣＣＤイメージセンサおよび回路基板を備えており、撮影した映像を電気信号に変換して出力する。筐体１０１は、その側部を保持板１０３の保持片１０３ａに保持され、保持板１０３は、支持板１０４の底部に回転可能（ヨー軸回転）に支持されている。支持板１０４は、その両側の立ち上がり片１０４ａ、１０４ｂが回転ブラケット１０５の支柱１０５ａ、１０５ｂに、軸１０６、１０７により垂直方向に回転可能（チルト軸回転）に支持されている。また、回転ブラケット１０５は、その中心部がベース板１０８のボス軸１０９に嵌合して水平方向に回転可能（パン軸回転）に支持され、ベース板１０８は図示されない装置本体部に固定される。装置本体部には電源回路や映像回路を備えた主回路基板が配置され、商用電源に接続される電源コードおよび外部モニタに接続される制御コードが外部に導出されている。そして、装置本体部にはスモーク調に表面処理された樹脂製のドームカバーが、カメラユニット１００を覆うように取り付けられる。
【０００４】
このような監視カメラ装置は、監視を必要とする建物内の天井面または壁面に装置本体部が取り付けられる。取り付けに際し、監視カメラ装置を仮止めした状態で、電源コードおよび制御コードを接続して、現場でモニタを見ながらパン方向およびチルト方向に回転させて撮影方向を決め、その位置を固定する。壁面に取り付けた場合は、角度調整の結果、上下方向が傾くことが多いので、ヨー方向に回転させて撮影映像を直立させる。撮影方向が決定された後、監視カメラ装置を最終固定する。
【０００５】
【発明が解決しようとする課題】
しかしながら、上記従来の監視カメラ装置は、監視を目的としているため、このことを好ましく思わない者が破壊に及ぶことがあり、例えばバットで殴打した場合に内部構造が損傷して機能しなくなることがあった。
【０００６】
本発明は、このような従来の問題を解決するものであり、衝撃吸収構造を備えた監視カメラ装置を提供することを目的とする。
【０００７】
本発明の監視カメラ装置は、監視対象を撮影して映像信号を出力するカメラユニットと、前記カメラユニットを支持する支持部材と、前記支持部材を支持するブラケットと、前記支持部材を前記ブラケットとは反対の方向に押圧付勢する押圧部材と、前記ブラケットを支持する本体部と、前記本体部に取り付けられたカバーとを備えたものであり、監視カメラ装置の取付状態においてカバーが殴打され、その衝撃力がカバーを通じてカメラユニットに加えられた場合に、支持部材が押圧部材を変位させながら移動するので、衝撃力が吸収されてカメラユニットの損傷を防止できるとともに、その衝撃力が減衰した場合に、押圧部材により元の状態に復帰するので、カメラ監視機能を続行することができる。
【０００８】
また、本発明の監視カメラ装置は、前記ブラケットが前記支持部材を支持する支柱を有し、前記支柱に垂直方向に設けられた長穴を通して軸ねじにより前記支持部材を固定することにより、前記支持部材を垂直方向に回転可能かつ垂直方向に直動可能に支持することを特徴とするものであり、軸ねじと長穴との簡単な構造により、支持部材を垂直方向に回転可能かつ垂直方向に直動可能に支持することができる。
【０００９】
また、本発明の監視カメラ装置は、前記押圧部材が前記軸ねじと前記支柱との間に設けられたコイルばねであることを特徴とするものであり、押圧部材による衝撃吸収構造を簡略化することができる。
【００１０】
また、本発明の監視カメラ装置は、前記支持部材と前記ブラケットの支柱との間に前記支持部材の前記ブラケットに対する回転角度を規制するチルトプレートを備えたことを特徴とするものであり、支持部材すなわちカメラユニットの過剰な回転を防止することができる。
【００１１】
また、本発明の監視カメラ装置は、前記ブラケットがドーナツ円板状に形成されていることを特徴とするものであり、カメラユニットの下部と本体部との間の距離が小さい場合でも、衝撃力によるカメラユニットの移動をドーナツ部分で逃げることができる。
【００１２】
また、本発明の監視カメラ装置は、前記ブラケットの周囲が、少なくとも１個がテンションローラである３個のガイドローラにより支持されていることを特徴とするものであり、カメラユニットの下部と本体部との間の距離を小さくして装置を薄型化することができる。
【００１３】
【発明の実施の形態】
以下、本発明の実施の形態について図面を参照して説明する。図１は本発明の実施の形態における角度固定型の監視カメラの本体組立体１とドーム組立体２の分解斜視図である。なお、本明細書中において、「上」「下」「垂直方向」「水平方向」なる用語は、図１に示すように、本体組立体１を水平に載置し、その上にドーム組立体２を載置した状態における方向を言うものとする。図１において、本体組立体１は、上面に幅広の鍔部３ａを有し、下部に円筒部３ｂを有する台状の本体部３と、円筒部３ｂの上部に取り付けられたカメラユニット４を有し、鍔部３ａの外周のガイド部３ｃにドーム組立体２が嵌め込まれる。平面状の鍔部３ａは補強壁３ｄにより補強されている。ドーム組立体２は、厚さ３．５ｍｍ程度のポリカーボネート樹脂製のフルスモーク処理したドーム５と、ドーム５の下部を覆うカバー６とで構成され、３個の取付ねじ７が、カバー６の各取付穴８を通して本体組立体１の各ねじ穴９にねじ止めされる。
【００１４】
図２は本体組立体１の分解斜視図である。図２において、本体部３の円筒部３ｂの内部には、ブラケット１０により両側で主回路基板１１が取り付けられている。主回路基板１１には、ハーネス１２を介して各種調整スイッチ１３が接続されるとともに、監視モニタ出力用の制御コード１４および電源コード１５がそれぞれコードブッシング１６、１７を介して外部へ導出されている。
【００１５】
本体部３の補強壁３ｄ内側の鍔部３ａには、等間隔に３個の鼓型のガイドローラ１８、１９、２０が回転可能に取り付けられている。ガイドローラ１８、１９は、図３に示すように、鍔部３ａから突設されたスタッド２１、２２に嵌め込まれ、その上からねじ２３、２４により回転可能に取り付けられている。ガイドローラ２０はテンションローラであり、断面コ字形のレバー２５の一端部にガイドローラ２０がねじ２６により回転可能の取り付けられ、レバー２５の他端部が、鍔部３ａから突設されたスタッド２７に捩りコイルばね２８を介して、半径方向内側に押圧付勢されながらねじ２９により回転可能に取り付けられる。
【００１６】
図２において、カメラユニット４は、筐体３０内の上端部に配置された撮影レンズ３１とその内部の焦点位置に配置されたＣＣＤセンサおよびその回路基板とを有し、筐体３０と一体の調整つまみ３２の下部が円筒リング状の回転台３３に嵌め込まれて回転可能（ヨー軸回転）に取り付けられている。筐体３０内部の回路基板からはハーネス３４、３５が導出され、その先端部にそれぞれコネクタ３６、３７が接続されて、本体部３の主回路基板１１に接続される。回転台３３の直径方向の両側には、立ち上がり片３３ａ、３３ｂが形成されて、その下方に配置された回転ブラケット３８の支柱３９および４０に回転可能に支持されている。回転ブラケット３８の外周面は、本体部３のガイドローラ１８、１９、２０に水平方向に回転可能（パン軸回転）に支持される。
【００１７】
回転ブラケット３８は、図４に示すように、中空のドーナツ円板状に形成され、その直径方向の両側には、一体の支柱３９とねじにより固定された別体の支柱４０とが立設されている。各支柱３９、４０には、その縦方向（長手方向）に長穴４１、４２が形成され、支柱３９の長穴４１には、軸部とねじ部を有する軸ねじ４３が、外側から内側に向けて捩りコイルばね４４の上部止め環４４ａを介して挿通され、回転台３３の立ち上がり片３３ａに形成されたねじ穴４５に締結される。捩りコイルばね４４の下部止め環４４ｂは、小型の軸ねじ４６により支柱３９に固定される。上部止め環４４ａと下部止め環４４ｂは、それぞれ所定の間隙をもって軸ねじ４３、４６の軸部に挿通されるので回転可能である。他方の支柱４０の長穴４２には、軸ねじ４７が、外側から内側に向けて捩りコイルばね４８の上部止め環４８ａを介して挿通され、さらにチルトプレート４９の通し穴４９ａを通して、回転台３３の立ち上がり片３３ｂに形成されたねじ穴５０に締結される。これにより、回転台３３すなわち筐体３０は、回転ブラケット３８に対して垂直方向に回転可能（チルト軸回転）に支持される。捩りコイルばね４８の下部止め環４８ｂは、小型の軸ねじ５１により支柱４０に回動可能に固定される。チルトプレート４９は、通し穴４９ａを含む縦方向に支柱４０の幅とほぼ同じ幅の縦溝４９ｂを有し、またその下部には横方向に円弧状のガイド穴４９ｃが形成されている。チルトプレート４９は、縦溝４９ｂを支柱４０に嵌め込むことにより回り止めが施され、また回転台３３の立ち上がり片３３ｂに突設されたガイドピン５２にガイド穴４９ｃを合わせることにより、回転台３３すなわち筐体３０の回転ブラケット３８に対するチルト角の範囲が規制される。
【００１８】
次に、本実施の形態における動作について説明する。図２において、まずカメラユニット４のコネクタ３６、３７を、本体部３の主回路基板１１に設けられた所定のコネクタに接続する。次に、テンションローラであるガイドローラ２０を、そのレバー２５を外側方向に退避させて、その状態を保持しながらカメラユニット４を本体部３の中に挿入し、カメラユニット４の回転ブラケット３８の外周面をガイドローラ１８、１９に係合させた後、レバー２５を戻してガイドローラ２０を回転ブラケット３８の外周面に係合させる。これにより、回転ブラケット３８は、ガイドローラ２０の捩りコイルばね２８のばね力により強く押圧されるので、カメラユニット４は、制動力を受けながら水平方向に回転可能になり、パン軸調整が可能になる。また、カメラユニット４は、軸ねじ４３、４７を中心に回動させることにより、垂直方向に回転可能になり、チルト軸調整が可能になる。したがって、この監視カメラ装置を天井または壁面に取り付けた状態で、入口などの監視方向をパン軸調整およびチルト軸調整を行って定め、パン位置を押え板により固定し、チルト位置を軸ねじ４３、４７を締め付けることにより固定する。この監視カメラ装置を壁面に取り付けた場合は、パン、チルト調整に伴い、映像が傾くのでこれを正立させるために、筐体３０の調整つまみ３２を回してヨー軸調整を行う。これらの調整は、取付工事の際に作業員が現場でモニタを見ながら行う。
【００１９】
このように、本実施の形態によれば、カメラユニット４を支持する支持部材である回転台３３を、回転ブラケット３８の支柱３９、４０に垂直方向に設けられた長穴４１、４２を通してそれぞれ軸ねじ４３、４７により固定したので、簡単な構造により回転台３３を垂直方向に回転可能かつ垂直方向に直動可能に支持することができ、監視カメラ装置の取付状態において、ドームカバーが殴打されて、その衝撃力がドームカバーを通じてカメラユニット４に加えられた場合に、回転台３３が捩りコイルばね４４、４８を撓ませながら移動するので衝撃力を吸収することができ、ユニットカメラ４の損傷を防ぐことができる。
【００２０】
なお、上記実施の形態では、ユニットカメラ４を支持する支持部材として回転台３３を用い、この回転台３３を支持するブラケットとして回転ブラケット３８を用いたが、他の回転可能な構造でもよく、またはユニットカメラ４を支持部材に回転不能に固定したり、支持部材をブラケットに回転不能に固定する構造であってもよい。また、押圧部材として捩りコイルばね４４、４８を用いたが、ゴム等の他の押圧部材を用いてもよい。さらに、ユニットカメラ４を覆うカバーをドーム形状としたが、他の形状のカバーを用いてもよい。
【００２１】
【発明の効果】
以上説明したように、本発明の監視カメラ装置は、監視対象を撮影して映像信号を出力するカメラユニットと、カメラユニットを支持する支持部材と、支持部材を支持するブラケットと、支持部材をブラケットとは反対の方向に押圧付勢する押圧部材と、ブラケットを支持する本体部と、本体部に取り付けられたカバーとを備えたものであり、この監視カメラ装置の取付状態においてカバーが殴打され、その衝撃力がカバーを通じてカメラユニットに加えられた場合にも、支持部材が押圧部材を変位させながら移動するので、衝撃力が吸収されてカメラユニットの損傷を防止できるとともに、その衝撃力が減衰した場合に、押圧部材により元の状態に復帰するので、カメラ監視機能を続行することができる。
【図面の簡単な説明】
【図１】本発明の実施の形態における監視カメラ装置の本体組立体とドーム組立体の分解斜視図
【図２】本発明の実施の形態における本体部とカメラユニットの分解斜視図
【図３】本発明の実施の形態におけるガイドローラの分解斜視図
【図４】本発明の実施の形態におけるカメラユニットの分解斜視図
【図５】従来の監視カメラ装置の内部構造を示すカメラユニットの斜視図
【図６】従来の監視カメラ装置のカメラユニット筐体支持部の構成を示す斜視図
【符号の説明】
１  本体組立体
２  ドーム組立体
３  本体部
４  カメラユニット
５  ドーム
６  カバー
７  取付ねじ
８  取付穴
９  ねじ穴
１０  ブラケット
１１  主回路基板
１２  ハーネス
１３  各種スイッチ
１４  制御コード
１５  電源コード
１６、１７  コードブッシング
１８、１９  ガイドローラ
２０  ガイドローラ（テンションローラ）
２１、２２  スタッド
２３、２４  ねじ
２５  レバー
２６  ねじ
２７  スタッド
２８  捩りコイルばね
２９  ねじ
３０  筐体
３１  撮影レンズ
３２  調整つまみ
３３  回転台（支持部材）
３４、３５  ハーネス
３６、３７  コネクタ
３８  回転ブラケット（ブラケット）
３９、４０  支柱
４１、４２  長穴
４３  軸ねじ
４４  捩りコイルばね（押圧部材）
４５  ねじ穴
４６  軸ねじ
４７  軸ねじ
４８  捩りコイルばね（押圧部材）
４９  チルトプレート
５０  ねじ穴
５１  軸ねじ
５２  ガイドピン
【図１】
0003880848.tif 000002
【図２】
0003880848.tif 000003
【図３】
0003880848.tif 000004
【図４】
0003880848.tif 000005
【図５】
0003880848.tif 000006
【図６】
0003880848.tif 000007